(57)【要約】【構成】この発明は一般には，補聴器，および補聴器を製造する方法に関する。この発明はさらに，補聴器用のシェルおよびその製造方法に関する。この発明は特に，カスタマイズ製作のＢＴＥ補聴器に関する。第１部分および第２部分を有し，第１部分が，個人の耳介および頭骨間のくぼみの輪郭にフィットするようにした，シェルが設けられている。シェルは，第１端部でチューブ（９）に，第２端部でイヤプラグ（２０）に連結された補聴器（１７）の一部分である。この発明の第３態様で，シェルを作製する方法が開示され，第４態様で，補聴器を製造する方法も開示されている。
2008524941.tif 000002
【特許請求の範囲】
【請求項１】
ＢＴＥ補聴器用のカスタム・シェルであって，上記シェルは，
第１部分，および
第２部分を備え，上記第１部分は，個人の耳介および頭骨間のくぼみの輪郭にフィットするようになっている，カスタム・シェル。
【請求項２】
上記シェルは出口を備えている，請求項１に記載のカスタム・シェル。
【請求項３】
上記出口は少なくとも部分的に上記第２部分内に配置される，請求項２に記載のカスタム・シェル。
【請求項４】
上記出口は上記第２部分内に配置される，請求項２に記載のカスタム・シェル。
【請求項５】
上記シェルは，
フックとして形成された突起部を備え，上記突起部は上記出口を収容している，請求項１に記載のカスタム・シェル。
【請求項６】
第３部分を備え，上記第３部分は眼鏡フレームのアームの一部分にフィットするようになっている，上記請求項１から５のいずれかに記載のカスタム・シェル。
【請求項７】
上記第２部分はフェースプレートを備えている，上記請求項１から６のいずれかに記載のカスタム・シェル。
【請求項８】
上記第１部分および上記第２部分は一体成形される，上記請求項１から７のいずれかに記載のカスタム・シェル。
【請求項９】
上記第２部分は導入開口を備えている，請求項１から８のいずれかに記載のカスタム・シェル。
【請求項１０】
上記出口は音響開口を備えている，請求項１から９のいずれかに記載のカスタム・シェル。
【請求項１１】
上記出口は電気ケーブルを備えている，請求項１から１０のいずれかに記載のカスタム・シェル。
【請求項１２】
上記出口は電気コネクタを備えている，請求項１から１１のいずれかに記載のカスタム・シェル。
【請求項１３】
電池区画，
音響出力トランスジューサ，および
ハウジングを備え，上記ハウジングは，
開口，
出口，
増幅器アセンブリ，
マイクロフォン，および
シェルを備え，
上記シェルは，個人の耳介および頭骨間のくぼみの輪郭にフィットするようにカスタマイズされた部分を備えている，補聴器。
【請求項１４】
上記音響出力トランスジューサは，上記ハウジング内に配置される，請求項１３に記載の補聴器。
【請求項１５】
上記開口は，上記シェル内に位置される，請求項１３〜１４のいずれかに記載の補聴器。
【請求項１６】
電池室，
音響出力トランスジューサ，および
ハウジングを備え，上記ハウジングは，
出口，
増幅器アセンブリ，
マイクロフォン，および
請求項１〜１２のいずれかに記載のシェル，
を備えている，カスタムＢＴＥ補聴器。
【請求項１７】
上記シェルは，上記マイクロフォンが配置されたマイクロフォン口を備えている，請求項１６に記載の補聴器。
【請求項１８】
上記ハウジングは，フェースプレート，上記フェースプレートを備えている，請求項１６〜１７のいずれかに記載の補聴器。
【請求項１９】
上記フェースプレートは，上記増幅器アセンブリを担持している，請求項１８に記載の補聴器。
【請求項２０】
上記フェースプレートは，上記ハウジングの導入開口内に配置された電池区画を有する，請求項１８〜１９のいずれかに記載の補聴器。
【請求項２１】
ユーザの外耳道と接触するイヤプラグ，ユーザの耳珠の内側に寄りかかる接触部材，ならびにイヤプラグおよび接触部材を一緒に保持する固定具を備え，固定具は，イヤプラグおよび接触部材の間隔を調節する手段を有する，請求項１６に記載の補聴器。
【請求項２２】
上記電子増幅器アセンブリおよび上記電池区画を備えたモジュールを備え，上記モジュールは，上記導入開口へ挿入されて固定されることが可能である，請求項１６に記載の補聴器。
【請求項２３】
上記モジュールは，上記マイクロフォンを備えている，請求項２２に記載の補聴器。
【請求項２４】
上記ハウジングは，少なくとも２つのマイクロフォンを備えている，請求項１６〜２３のいずれかに記載の補聴器。
【請求項２５】
上記出口は，チューブを挿通させて取り付けるようになっている孔である，請求項１６〜２３のいずれかに記載の補聴器。
【請求項２６】
個人用の耳掛け形補聴器を作製する方法であって，
・上記ユーザの頭骨および耳介間のくぼみの一部分の輪郭の表現を制定し，
・上記表現に基づいて，ハウジングの一部分が上記くぼみにフィットするようにハウジングを作製し，
・一群の電子部品を上記ハウジング内に配置し，
・電池区画を設け，
これにより，個人用の耳掛け形補聴器を制定する，
方法。
【請求項２７】
上記電子部品の少なくとも１つが，ハウジングの導入開口を通して取り付けられる，請求項２６に記載の方法。
【請求項２８】
個人用の耳掛け形補聴器を作製する方法であって，
・個人の頭骨および耳介間のくぼみの一部分の輪郭の表現を制定し，
・上記表現に基づいて，ハウジングの一部分が上記くぼみにフィットするようにハウジングを作製し，
・少なくとも１つのマイクロフォン，電子増幅器アセンブリおよび電池区画を上記ハウジング内に配置し，
・上記電子増幅器アセンブリに接続された音響出力トランスジューサを設け，
これにより，個人用の耳掛け形補聴器を制定する，
方法。
【請求項２９】
上記音響出力トランスジューサを，上記ハウジング内に配置する，請求項２８に記載の方法。
【請求項３０】
音響チューブを，上記ハウジングに連結する，請求項２８〜２９のいずれかに記載の方法。
【請求項３１】
上記音響出力トランスジューサを設けるステップは，上記ハウジングの出口孔を介して外に出て，音響出力トランスジューサに接続される音響チューブを設けることを含む，請求項２８〜３０のいずれかに記載の方法。
【請求項３２】
上記表現を制定するステップは，眼鏡フレームの骨組みの一部分の表現を制定することを含み，上記ハウジングに，眼鏡フレームの骨組みの一部分にフィットするへこみを設ける，請求項２８〜３１のいずれかに記載の方法。
【請求項３３】
シェルの開口を取り囲む縁部にフェースプレートを連結する，請求項２８〜３２のいずれかに記載の方法。
【請求項３４】
カスタムＢＴＥ補聴器用のシェルを作製する方法であって，
・個人の頭骨および耳介間のくぼみの一部分の輪郭の表現を制定し，
・上記表現に基づいて，シェルの一部分が上記くぼみにフィットするようにシェルを作製する，特注ＢＴＥ補聴器用のシェルを作製する方法。
【請求項３５】
上記表現を制定するステップは，眼鏡フレームのアームの一部分の輪郭を伴う上記表現を制定することを含み，上記作製のステップは，眼鏡アームの一部分のためのへこみを有するシェルを作製することを含む，請求項３４に記載の方法。
【発明の詳細な説明】
【技術分野】
【０００１】
この発明は，概括的には，補聴器および補聴器を製造する方法に関する。この発明は特に，耳掛け形（ＢＴＥ）補聴器およびそれを作製する方法に関する。この発明はさらに，カスタム製作（特注）の（custom-made）ＢＴＥ補聴器に関する。
【背景技術】
【０００２】
耳掛け形（ＢＴＥ）補聴器は，耳に装着される補聴器の一般的なグループ（the general group）のうちのサブ・グループである。完全に耳によって支持される補聴器は，通常，耳掛け形（Behind-The-Ear）（ＢＴＥ）補聴器，耳穴形（In-The-Ear）（ＩＴＥ）補聴器および完全カナル形（Completely-In-The-Canal）（ＣＩＣ）補聴器の３種類に分けられる。ＢＴＥ補聴器は最も大きいタイプであり，基本的に，一部がユーザの外耳（耳介）（outer ear (the pinna)）の上方に位置し，かつ一部がその後方に配置されるようになっているハウジングまたはシェルを組み込んでいる。ハウジングは，電池，マイクロフォンおよび増幅器などの電子および音響部品のためのプラットフォームおよび封入体（encapsulation）になる。一部のタイプでは，ハウジングが，補聴器用語において通常レシーバと呼ばれる小型スピーカも収容し，レシーバは，レシーバ出力をユーザの外耳道内へ伝達するチューブに接続される。チューブの端部には外耳道につながれるイヤピース（an earpiece）がある。イヤピースは軟質の標準プラグを備えてもよいし，またはカスタマイズされたプラグを備えてもよい。使用の際，ハウジングは外耳の後に位置され，部分的に隠れる。一部のＢＴＥではハウジングが伸びてフックとなり，これは補聴器ハウジングをよりかからせる（resting）役目を果たす。
【０００３】
ＵＳ６２２８０２０は，ユーザの外耳道にはめ込まれるようにカスタマイズされたフェースプレートおよびシェルを備えた補聴器を示している。
【０００４】
ＷＯ９８／４７３１９は，ユーザの外耳道内に配置される補聴器であって，ユーザの外耳道に合わせてカスタマイズされたシェル，部品およびフェースプレートを備えた補聴器を示している。
【０００５】
ＢＴＥ補聴器は，大型電池，比較的大きい増幅器，テレコイル，デュアル・マイクロフォン，押しボタン，およびさまざまな機能を切換えるスイッチなどのための空間を提供する。このような特徴は，小型化の実現を困難または不可能とする。ＢＴＥ補聴器はまた，レシーバからマイクロフォンへの音響フィードバックをより適切に制御できるようにするために，マイクロフォンおよびレシーバを互いに間隔をおいて配置可能とする。一部のユーザはＢＴＥ補聴器が装着により快適であると感じるであろう。したがって，多くのユーザは，ＩＴＥまたはＣＩＣ補聴器よりむしろ，ＢＴＥ補聴器を好むもっともな理由を見いだす。
【０００６】
現在のＢＴＥ補聴器は，ユーザの耳介(左または右）（a pinna (left and right)）および頭骨（the skull）間のくぼみ（the cleft）の全体的な輪郭（the general contour）に適するように湾曲した標準ハウジングを有する。ハウジングの上部は，通常，延在して，音響導管が組み込まれ，耳介および頭骨間のくぼみの上部の周りを囲むグリップになる突出フック（a projecting hook）になっている。
【発明の開示】
【０００７】
この発明は，使用が快適な補聴器用シェルを提供することを目的とする。
【０００８】
この発明はさらに，製造が簡単である補聴器を提供することを目的とする。
【０００９】
この発明はさらに，資本集約的設備（capital intensive equipment）を必要とせずに製造可能な補聴器を提供することを目的とする。
【００１０】
この発明のさらに別の目的は，エクセレントかつ快適なユーザに対する保持力を持つ補聴器を提供することである。
【００１１】
この発明は，第１態様では，請求項１に記載の補聴器を提供する。
【００１２】
この開示の文脈において，カスタム・シェル（a custom shell）という表現は，個人に合わせた構造を備えたシェルを表す。
【００１３】
この発明者が知る限り，ＢＴＥ補聴器の分野（the context）において，カスタマイゼーション（customization）は，イヤピースの作製（the preparation of the earpiece）まで及んでいるが，ハウジングまでは及んでいない。
【００１４】
この補聴器シェルは，個人の耳介および頭骨間のくぼみの輪郭にフィットするようにカスタマイズされた部分（a part）を含む。この部分は通常，くぼみの対応部分に寄りかかり，したがって，フィット性および快適さの点で優れたシェルを実現するであろう。シェルには，シェルをほぼ完全なものにし（完成させ）（仕上げさせ）（complete），ユーザのくぼみと直接接触して寄りかからせる必要がない第２部分（a second part）を含む。
【００１５】
２つの部分を一体成形してもよく，または別々のステップで製造して，従来手段により互いに結合させてもよい。
【００１６】
実施形態によると，シェルは，出口（出力口）（an outlet）を有することができる。出口は，ユーザの外耳道に挿入されたイヤプラグに向けて，チューブによって伝達される音響出力のための孔でよく，または，それは，ハウジングから間隔をおいて，たとえばイヤピース内に，且つユーザの外耳道に近づけて配置されたレシーバに送られる電気出力のための電線またはコネクタであってもよい。
【００１７】
好ましくは，出口は，第２シェル部分内に配置される。出口をユーザに寄りかかるように意図したシェルの部分から離しておくことにより，フィット性の低下が回避される。
【００１８】
一実施形態によると，シェルが延長（伸張）してフックになり，フックは出口を収容することができる。フックは，部分的にユーザに合わせてカスタマイズすることができ，またはハウジングに適切に配置された，標準形のものであってもよい。
【００１９】
一実施形態によると，シェルは，眼鏡フレームのアームの一部分にフィットする第３部分（a third part）を有する。これは，眼鏡および補聴器を同時に装着したいユーザに，補聴器の優れたフィット性を与える。
【００２０】
一実施形態によると，シェルは，フェースプレートを含むことができる。フェースプレートは，さまざまな部品を備えた標準のプレートでよく，シェルおよびフェースプレートが合わさって一貫した外観を生じるように，カスタム・シェルの輪郭と一致するように切り落とされるであろう。フェースプレートは好ましくは，ユーザと直接的に接触するようになっていないシェルの部分に配置されるであろう。
【００２１】
この発明は，第２態様において，請求項１３に記載の補聴器を提供する。これは，非常に快適なフィット性を有する補聴器を提供する。シェルは，個々のユーザによって選択される部品を収容するのにちょうど十分な最小寸法で作製されることができ，したがって，あまり目立たない。
【００２２】
この発明は，第３態様において，請求項１６に記載のカスタムＢＴＥを提供する。
【００２３】
一実施形態によると，補聴器をユーザの外耳の上によりかからせるという目的にもかなうようにするために，チューブまたは少なくともその一部分は，半硬質または弾性とされる。イヤピースは，たとえば，弾性またはユーザの耳に合わせたカスタマイゼーションにより，外耳道内に収まるようになっている。
【００２４】
一実施形態によると，補聴器は，ユーザの外耳道と接触するイヤプラグ，ユーザの耳珠の内側に寄りかかる接触部材，ならびにイヤプラグおよび接触部材を一緒に保持する固定具を備え，固定具は，プラグおよび接触部材の間隔を調節する手段を有する。このタイプのプラグは，イヤピースの快適な部分支持を行い，補聴器によって増幅された音をユーザの外耳道の方へ向かわせるようになっている。支持は，耳の他の部分に寄りかかる接触部材によって補完される。固定具は，プラグおよび接触部材の間隔を調節することができ，それにより，補聴器を異なった寸法の耳に，または見かけに関する異なった好みに合わせることができる。調節機能により，広範囲のユーザに適応できるように，イヤプラグをカスタマイズすることが可能である。
【００２５】
この発明は，第４態様において，請求項２６に記載の個々人のための耳掛け形補聴器を作製する方法を提供する。
【００２６】
これは，フィット性およびユーザの快適さの点で優れた補聴器を作製する有効かつ的確な方法を提供する。
【００２７】
この発明は，第５態様において，請求項２８に記載の方法を提供する。
【００２８】
さらなる実施形態は，従属請求項から明らかになるであろう。
【００２９】
さらなる目的，実施形態および利点は，明細書の詳細部分から明らかになるであろう。
【００３０】
次に，添付図面を参照しながら，この発明をさらに詳細に説明する。
【実施例】
【００３１】
シェルを作製する方法（Away of preparation of a shell）：
シェルを作製する第１ステップは，たとえば図１に一例を示すように，耳の後，すなわち，頭部（the scull）３２および耳介２６間のくぼみに，型取りインプレッション（a cast impression）１４を取り付けることを含む。耳および耳介がリラックスした状態にあるうちに，インプレッションが耳の後のくぼみの実際の空間と一致するようにするために，型取り中に（during the casting）耳介をひずませたり，または変形させないことが重要である。補聴器のユーザが，普段，眼鏡をかけている場合，眼鏡フレームの骨組みの部分のインプレッションを，型取りインプレッション１４中に作り込むことができる。
【００３２】
型取りインプレッションは，ユーザに接触して直接的に型どられる表面部分と，インプレッションを完全なものにし（完成させ），ユーザに直接接触していない他の表面部分とを含む。
【００３３】
作製の第２ステップは，インプレッションを所望の型にトリミングする（整える）ことである。この第２ステップ中，インプレッションが成型されて，シリコン・コントロールの型（a silicone control form）がつくられる。コントロール型（the control form）は，インプレッションをさらにトリミングし，それにより，インプレッションの最終形を形成できるようにするために使用される。インプレッションをトリミングすべき箇所を決定するために，ダミーを使用してもよい。作製の第３ステップは，最終的なインプレッションの成型およびトリミングであり，第４ステップは，型（the form）に，アクリルたとえばベージュ色の感光プラスチックを満たして，型に紫外線を照射し，それにより，アクリルを硬化させてシェルにすることである。第５ステップで，余分な未硬化アクリルを除去して残ったシェルを切り，ＢＴＥハウジングの所望寸法が考慮されて，適当な寸法かつ平坦開口を有するシェルを残す。
【００３４】
さらなるステップで，フェースプレートを開口の縁部に取り付けて，フェースプレートの突出部分をすべて切り落とす。
【００３５】
音響出口をドリル穿孔するステップなどのさらなるステップを，シェルの作製に加えてもよい。
【００３６】
耳の後のさまざまな場所に配置されるハウジングを有するＢＴＥ補聴器の例が，図２〜図５に示されている。ハウジング，すなわちシェルの寸法は，内部に取り付けるべき電子機器を考慮して選択される。たとえば，補聴器が軽度から中度の難聴者用に使用される場合，完全カナル形のＣＩＣ補聴器に利用可能なものに対応する電子部品を，使用することができる。
【００３７】
電子部品，たとえばマイクロフォン，信号プロセッサおよびレシーバは，バッテリ開口（the battery opening）を通して取り付けることができる。音響チューブの一端部がレシーバに接続され，他端部はシェル内の音響出口を通して引き出されてイヤプラグに接続される。これに代えて，たとえば高度難聴者用に補聴器が使用される場合，ＢＴＥハウジングを電線によってイヤプラグ内のレシーバに接続し，それにより，フィードバックを生じることなく，より高い音響出力を可能にすることができる。
【００３８】
図２〜図４において，ハウジングは，連結部材（a connecting element）８によってチューブ９に連結されており，チューブ９は，ユーザの耳の耳介の上部の周りを囲み，それを耳の耳甲介内へ向ける第１曲がり部１８，およびチューブの一端をユーザの外耳道内へ向けるための第２曲がり部１９を有する。チューブは弾性的であり，ハウジングを耳の後の固定位置に，またイヤプラグ２０を外耳道内の固定位置に保つのを補助する。
【００３９】
図５は，ハウジングの前部分が耳の上部の周りを囲むフック１２として形成され，チューブ９がハウジングの出力開口（the outlet opening）に挿通されているカスタム製作のＢＴＥ補聴器を示す。
【００４０】
図６は，ＢＴＥ補聴器用のシェル２５を，対応するフェースプレート３とともに示す。シェル２５は，開口部（an aperture）１および出力開口２を備えている。フェースプレート３は，電池区画（電池入れ）（a battery compartment）を取付けるための，あらかじめ形成された導入開口（a prefabricated entrance opening）４を有し，破線５はシェル２５上に取り付けられる時のフェースプレート３の最終的な輪郭を表す。フェースプレート３は，たとえばフェースプレート３およびシェル２５を互いに接着することによって取り付けられてもよい。接着後，シェル開口をはみ出して突出する部分を切り落とすことにより，フェースプレートはトリミングされる。たとえばＷＯ９８／４７３１９に記載されているように，電子部品は，トリミング後に，導入開口からシェル内に取り付けられる。図７は，フェースプレート３と結合されたシェル２５，フェースプレート内の電池蓋６，ならびにマイクロフォン，レシーバ７，信号プロセッサおよびテレコイル３７などの電子部品を示す。シェル２５は連結部材８を介してチューブ９に連結される。
【００４１】
シェルは，ユーザの表面と合致する第１部分２３，および分離線３６によって第１部分から区別された，シェルを完結させる第２部分２４を備えている。第２部分は，一般的に，フェースプレート，およびフェースプレートを第１部分に連結する移行領域を含む。したがって，第１部分はユーザに合わせて完全にカスタマイズされ，第２部分は選択された輪郭に沿って第１部分と合致するようにカスタマイズされ，フェースプレートは標準形状とすることができる。
【００４２】
他の実施形態では，レシーバは，イヤプラグ２０内に配置され，チューブ９内のワイヤ２９でシェル２５内のその他の電気部品に接続され，それにより，より高い音響出力を可能にする(図１３）。補聴器を高音響出力用に適応させる別の構造オプションは，より大型のシェル２５を形成して，マイクロフォンおよびレシーバを互いに間隔をおいて配置し，それにより，ハウジング内のフィードバックを非干渉化する。
【００４３】
図８は，フェースプレートをシェル２５に組み込んだＢＴＥ補聴器を示す。すべての電子部品は，図８の導入開口に対応するシェル２５の孔（a hole）を通して取り付けられる。
【００４４】
図９はこの発明の他の実施形態を示し，シェルがフェースプレートと一体化され，かつマイクロフォン口（a microphone entrance）１０を有し，それを通してマイクロフォン１１がシェル２５に取り付けられている。すべての電子部品３５は，図６の導入開口４に対応するシェル２５の開口を通して取り付けられる。
【００４５】
図１０は，電子部品を導入開口４から取り付ける前のシェル２５を示す。導入開口４は，たとえばＷＯ９８／４７３１９に示されているような，電池区画および他の小部品のための開口部に対応する。図１１では，補聴器システム３０は，補聴器１７，チューブ９，連結部材８，およびイヤプラグ２０を有する。レシーバは，補聴器内１７に配置されてもよいし，またはイヤプラグ２０内に配置されてもよい。レシーバがイヤプラグ２０内に配置される場合，特に密閉イヤプラグ（a closed earplug）２０を使用する場合，フィードバックを伴うことなく，より高い出力を達成することができ，この場合，レシーバは，チューブ９内のワイヤ２９によって補聴器１７内の電子部品に接続されるであろう。
【００４６】
図１２は，補聴器１７，チューブ９，および開放イヤプラグ（an open earplug）２０を備えた補聴器システム３０を示す。補聴器１７は，シェル２５内のへこみ（an indentation）１６によって，眼鏡を着用しているユーザのために適応している。同様に，図１３に示されている補聴器システム３０も，眼鏡のアーム２７用のへこみ１６が設けられたシェル２５を備え，補聴器システム３０はさらに，イヤプラグ２０内にレシーバを有し，これはワイヤ２５によって補聴器に接続される。
【００４７】
図１４は，眼鏡用のへこみ１６（an indentation）を持つシェル２５の拡大図を示す。この実施形態では，シェルは，ユーザの耳介および頭骨に合わせてカスタマイズされた第１部分２３，眼鏡の形状に合わせてカスタマイズされた部分，すなわちへこみ１６，および一般的に第２部分２４と呼ばれるシェルを完全なものにする部分を有する。
【００４８】
図１５は，頭骨３２および耳介２６間のくぼみにはめ込んだときの，図１２にしたがう補聴器１７を示す。この詳細図において，破線が第１ローブ３３（the first lobe）および第２ローブをつなぎ，その線は，頭骨の輪郭を示す。ローブ３３を取り除けば，図１３に示す補聴器システムと同様のへこみ１６が現れる。たとえば，ローブ３４，またはローブ３３および３４の両方を取り除くことにより，シェル２５内に他の形のへこみ１６が現れる。
【００４９】
図１６は，ブッシング（a bushing）１３を介して，連結部材８およびチューブ９結合したシェル２５を示す。連結部材８は，シェルをブッシングに結合するための相互作用手段２１を有する。これに代えて，たとえば，連結部材８をシェル２５に接着することにより，連結部材８をシェル２５に直接に連結してもよい。他の実施形態では，ブッシング１３はシェル２５と一体化される。
【図面の簡単な説明】
【００５０】
【図１】シェルの作製の第１ステップを示す。
【図２】耳の後の低位置に配置されたハウジングを有する補聴器を示す。
【図３】耳の後の中間位置に配置されたハウジングを有する補聴器を示す。
【図４】耳の後の上位置に配置されたハウジングを有する補聴器を示す。
【図５】フックを備えたＢＴＥ補聴器を示す。
【図６】ＢＴＥ補聴器用のシェルおよびフェースプレートを示す。
【図７】フェースプレートと結合させたシェルを示す。
【図８】フェースプレートをシェル内に組み込んだＢＴＥ補聴器を示す。
【図９】フェースプレートを組み込んだシェルおよびマイクロフォン入口を備える実施形態を示す。
【図１０】電子部品を取り付ける前のシェルを示す。
【図１１】補聴器，チューブ，連結部材およびイヤプラグを有する補聴器システムを示す。
【図１２】眼鏡に隣接して配置される補聴器システムを示す。
【図１３】眼鏡に隣接して配置される別の実施形態による補聴器システムを示す。
【図１４】眼鏡用のへこみを備えるシェルの拡大図を示す。
【図１５】頭骨と耳介との間のくぼみにはめ込まれた，図１２にしたがう補聴器を示す。
【図１６】補聴器ハウジングの縦断面図を示す。
【図１】
2008524941.tif 000003
【図２】
2008524941.tif 000004
【図３】
2008524941.tif 000005
【図４】
2008524941.tif 000006
【図５】
2008524941.tif 000007
【図６】
2008524941.tif 000008
【図７】
2008524941.tif 000009
【図８】
2008524941.tif 000010
【図９】
2008524941.tif 000011
【図１０】
2008524941.tif 000012
【図１１】
2008524941.tif 000013
【図１２】
2008524941.tif 000014
【図１３】
2008524941.tif 000015
【図１４】
2008524941.tif 000016
【図１５】
2008524941.tif 000017
【図１６】
2008524941.tif 000018
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
個々の補聴器ユーザ用の耳掛け形補聴器を作製する方法であって，
第１部分および第２部分を有するインプレッションであって，第１部分は，上記ユーザの頭骨および耳介間のくぼみと接触させることによって直接的に型どられ，第２部分は，インプレッションを完成させるのに適している，そのようなインプレッションを形成し，
インプレッションを型として使用してシェルを形成し，
シェルに導入開口を設け，それにより，ハウジングを形成し，
上記ハウジング内に増幅器アセンブリを配置し，
上記ハウジング内に電池区画を設け，それにより，耳掛け形補聴器を完成させる，
方法。
【請求項２】
上記電子部品の少なくとも１つを上記導入開口を通して取り付ける，請求項１に記載の方法。
【請求項３】
少なくとも１つのマイクロフォンを，上記ハウジング内に配置する，請求項１または２に記載の方法。
【請求項４】
上記音響出力トランスジューサを，上記ハウジング内に配置する，請求項１，２または３に記載の方法。
【請求項５】
音響チューブを，上記ハウジングに連結する，請求項１〜４のいずれか一項に記載の方法。
【請求項６】
上記第２部分内に，少なくとも部分的に配置された出力開口を設ける，請求項１〜５のいずれか一項に記載の方法。
【請求項７】
上記音響チューブを，出力開口を介して外に出して上記音響出力トランスジューサに接続する，請求項６に記載の方法。
【請求項８】
上記インプレッションの形成は，眼鏡フレームの骨組みの一部分のインプレッションを形成することを含み，上記シェルの形成は，上記眼鏡フレームの上記骨組みの上記部分にフィットするへこみを形成することを含む，請求項１〜７のいずれか一項に記載の方法。
【請求項９】
フェースプレートを形成し，上記導入開口を取り囲む縁部に上記フェースプレートを取り付ける，請求項１〜８のいずれか一項に記載の方法。
【請求項１０】
上記増幅器アセンブリおよび上記電池区画を支持するモジュールを設け，上記モジュールを上記導入開口に挿入して固定する，請求項１〜９のいずれか一項に記載の方法。
【請求項１１】
請求項１〜１０のいずれか一項に記載の方法によって製造される，補聴器。
【国際調査報告】
2008524941.tif 000019
2008524941.tif 000020
2008524941.tif 000021